(57)【要約】【課題】本発明は、噴霧が洗浄槽内に良く行き亘って洗浄斑が生じ難い食器洗浄機を提供することを目的とする。【解決手段】本発明は、洗浄槽と、洗浄槽に内置され、食器類を含む被洗浄物を載置する洗浄用かごと、被洗浄物に向けて洗浄水を噴射する回転ノズル体と、洗浄槽の内底側に設けられ、洗浄水を加熱や前記被洗浄物の乾燥を行うヒータとを有する食器洗浄機において、洗浄槽内に噴霧を噴射する噴霧手段を、洗浄槽の一方の側面側に設け、洗浄用かごに設ける大皿置部の配置位置を噴霧手段の反対側したことを特徴とする。【選択図】図１
2006314390.tif 000002
【特許請求の範囲】
【請求項１】
洗浄槽と、前記洗浄槽に内置され、食器類を含む被洗浄物を載置する洗浄用かごと、前記被洗浄物に向けて洗浄水を噴射するノズル体と、前記洗浄槽の内底側に設けられ、洗浄水を加熱や前記被洗浄物の乾燥を行うヒータとを有する食器洗浄機において、
前記洗浄槽内に噴霧を噴射する噴霧手段を、前記洗浄槽の一方の側面側に設け、
前記洗浄用かごに設ける大皿置部の配置位置を前記噴霧手段の反対側したことを特徴とする食器洗浄機。
【請求項２】
洗浄槽と、前記洗浄槽に内置され、食器類を含む被洗浄物を載置する洗浄用かごと、前記被洗浄物に向けて洗浄水を噴射するノズル体と、前記洗浄槽の内底側に設けられ、洗浄水を加熱や前記被洗浄物の乾燥を行うヒータとを有する食器洗浄機において、
前記ヒータを前記洗浄槽の一方の側面側寄りに設け、
前記洗浄用かごに設ける小皿置部の配置位置を前記ヒータが位置する側面側にし、
前記洗浄槽に噴霧する低部噴霧手段を前記ヒータが位置する前記洗浄槽の側面側の後側コーナに設け、かつ低部噴霧手段が前記小皿置部に立てかける小皿の上端縁よりも低い位置に存在することを特徴とする食器洗浄機。
【請求項３】
請求項１または２記載の食器洗浄機において、
前記洗浄用かごは、下かごと、前記下かごの上に着脱自在に重なる上かごとの組み合わせになっていることを特徴とする食器洗浄機。
【請求項４】
請求項３記載の食器洗浄機において、
前記下かご、および前記上かごは、組み合わせる向きを示す表示や確認できる確認部材を含む確認手段を有することを特徴とする食器洗浄機。
【請求項５】
請求項３記載の食器洗浄機において、
前記下かご、および前記上かごは、線材を格子状に組んで形成されていることを特徴とする食器洗浄機。
【請求項６】
請求項５記載の食器洗浄機において、
前記線材は、鋼線を含む金属線に合成樹脂の被覆が施されていることを特徴とする食器洗浄機。
【請求項７】
請求項６記載の食器洗浄機において、
前記下かごは、前記下かごと、前記上かごとを重ねた際に当接するところの前記線材に線材同士の直接的な接触を避ける保護カバーを設けたことを特徴とする食器洗浄機。
【請求項８】
請求項６記載の食器洗浄機において、
前記保護カバーを少なくとも前記下かごの４隅またはその近傍に設けたことを特徴とする食器洗浄機。
【請求項９】
請求項５記載の食器洗浄機において、
前記下かごの格子を前記上かごの格子よりも粗くし、かつ前記線材で形成される下かごの内底が全体として平坦であることを特徴とする食器洗浄機。
【請求項１０】
請求項３〜９のいずれかに記載された食器洗浄機において、
前記上かごに包丁が収納される包丁収納容器を載置する容器載置部を設けたことを特徴とする食器洗浄機。
【発明の詳細な説明】
【技術分野】
【０００１】
本発明は、噴霧や水蒸気で汚れをふやかして、脂分を含むしつこい汚れを洗い流す食器洗浄機の改良に関する。
【０００２】
また、本発明は、洗浄する食器等を収納する洗浄用かごが備わる食器洗浄機の改良に関するものである。
【背景技術】
【０００３】
噴霧手段を備えた食器洗浄機は、例えば、特開２００１−２７５９２１号公報（特許文献１）に記載されている。
【０００４】
また、水蒸気を使用して、食器類の付着する洗い難い汚れを洗浄する食器洗浄機は、例えば、特開２００３−２３５７７８号公報（特許文献２）に記載されている。
【０００５】
さらに、洗浄用かごが備わる食器洗浄機は、例えば、特開２００３−２８４６７１号公報（特許文献３）に示すような構成を有する。
【０００６】
特許文献３の食器洗浄機に備わる洗浄用かごは、手鍋や笊等の調理器具を収納するベースユニットと、このベースユニットに着脱自在に重ねられ、かつ小皿や椀等の食器類を収納する支持ユニットとを組み合わせた構成になっている。
【０００７】
【特許文献１】特開２００１−２７５９２１号公報
【特許文献２】特開２００３−２３５７７８号公報
【特許文献３】特開２００３−２８４６７１号公報
【発明の開示】
【発明が解決しようとする課題】
【０００８】
特許文献１に記載された食器洗浄機は、噴霧手段で噴射する噴霧で汚れを洗い流す。噴霧が洗浄槽内に偏り無く行き亘るようにしなければ、洗浄斑が生じる。
【０００９】
また、特許文献２に記載された食器洗浄機は、水蒸気を発生する専用のボイラーを備えている。専用のボイラーを備えるので高価になる。ボイラーを置く場所が必要になるので、スペースが無駄になる。水を供給する配管、給水弁、加熱用のヒータ、配線、制御機器で構成が複雑になる等の問題がある。
【００１０】
本発明は、上記の問題に鑑み、噴霧が洗浄槽内に良く行き亘って洗浄斑が生じ難い食器洗浄機を提供することを目的とする。
【００１１】
また、本発明は、上記の問題に鑑み、専用のボイラーを用いることなく、洗浄用かごに収納される小皿を利用して水蒸気の発生を積極的に行う食器洗浄機を提供することを目的とする。
【課題を解決するための手段】
【００１２】
本発明は、洗浄槽と、洗浄槽に内置され、食器類を含む被洗浄物を載置する洗浄用かごと、被洗浄物に向けて洗浄水を噴射するノズル体と、洗浄槽の内底側に設けられ、洗浄水を加熱や被洗浄物の乾燥を行うヒータとを有する食器洗浄機において、洗浄槽内に噴霧を噴射する噴霧手段を、洗浄槽の一方の側面側に設け、洗浄用かごに設ける大皿置部の配置位置を噴霧手段の反対側したことを特徴とする。
【００１３】
また、本発明は、洗浄槽と、洗浄槽に内置され、食器類を含む被洗浄物を載置する洗浄用かごと、被洗浄物に向けて洗浄水を噴射するノズル体と、洗浄槽の内底側に設けられ、洗浄水を加熱や被洗浄物の乾燥を行うヒータとを有する食器洗浄機において、ヒータを一方の側面側寄りに設け、洗浄用かごに設ける小皿置部の配置位置を一方の側面側にし、洗浄槽内に噴霧を噴射する低部噴霧手段を前記ヒータに近い洗浄槽の側面ないしコーナ部に設け、かつ低部噴霧手段が置かれる高さを小皿置部に立てかける小皿の丈よりも低い位置にしたことを特徴とする食器洗浄機。
【発明の効果】
【００１４】
本発明によれば、大皿が噴霧手段の反対側に置かれるので、噴霧が大皿で遮られることなく、洗浄槽内に良く行きわたるので、洗浄斑の生じ難くなる。
【００１５】
また、本発明は、低部噴霧手段からの噴霧が小皿に当たってヒータに導かれるので、水蒸気の発生が積極的に行なわれる。
【発明を実施するための最良の形態】
【００１６】
本発明の実施例について、図を引用して説明する。
【００１７】
まず、図３〜図６を引用して食器洗浄機の概要を含めて説明する。
【００１８】
食器洗浄機の外枠１は、内側に洗浄槽２を有する。洗浄槽２の前側は、大きく開口する開口部を有する。この開口部を開け閉めする二枚の上下扉（図示せず）が、外枠１の前側に備わる。
【００１９】
洗浄槽２には、図３、図４に示すように、下側と上側に洗浄用かご３．４が取り外し自在に備えられる。この洗浄用かご３．４に食器類を収納して洗浄を行う。
【００２０】
図６に示すように、二つの洗浄回転ノズル５が洗浄槽２の内底側に備えられる。洗浄回転ノズル５は、複数の噴射ノズルを有する。この噴射ノズルから噴射する洗浄水で、洗浄用かご３．４に収納されている食器類は洗浄される。
【００２１】
水溜部６は、洗浄槽２の前側内底に凹むように設けられ、内部にヒータ７が置かれる。多数の孔を有する目皿状の保護カバー８は、水溜部６の上側に取り外し自在に設けられる。図６の図示では、保護カバー８の一部を切り欠いてヒータ７を覗かせている。
【００２２】
水溜部６に配置されるヒータ７は、左側に寄せて片寄りに置かれている。水溜部６の右側、つまりヒータ７の反対側に排出口５０が設けられる。
【００２３】
水溜部６に流れ込み、排出口５０から排出された洗浄水は、洗浄ポンプ（図示せず）に吸い込まれる。そして、洗浄ポンプで加圧された洗浄水は洗浄回転ノズル５に供給され、噴射ノズルから噴射される。噴射する洗浄水の反動で、洗浄回転ノズル５は回転するので、洗浄水は食器類を斑無くかけられる。
【００２４】
噴霧手段９は、図５、図６に示されるように、洗浄槽の一方の側面側に設けられる。噴霧手段９は、洗浄槽２の丈の中程よりも上側に位置している。
【００２５】
噴霧手段９は、図１２に示すように、噴射ノズル部１０を有する。噴射ノズル部１０は、内部に円形状の駒収納室１１を、前側に噴霧口１２を有し、駒収納室１１と噴霧口１２は連通している。駒収納室１１に収納される霧化中駒１３は、外周に螺旋溝１４を有する。噴霧口１２が洗浄槽２内に向くように噴霧手段９は設けられる。
【００２６】
噴霧手段９は、噴霧給水路１５を介して水道管（図示せず）の給水電磁弁（図示せず）に連通するように接続される。噴霧給水路には、減圧弁（図示せず）が設けられる。
【００２７】
噴霧手段９が噴射する噴霧は、マイクロミスト程度の極小な水滴である。また、減圧弁が設けられているので、噴霧の発生量は変化することなく一定に保たれる。
【００２８】
図５、図６に示すように、低部噴霧手段１６は、噴霧手段９の下方で洗浄槽２の側面と後側とのコーナ部に設けられている。低部噴霧手段１６、および噴霧手段９は、ヒータ７に近い方の側面に置かれる。また、低部噴霧手段１６は、洗浄槽の内底に近い底部近傍に位置する。
【００２９】
洗浄用かご３は、図７に示すように、下かご３０と、前記下かご３０の上に着脱自在に重なる上かご３１との組み合わせになっている。下かご３０も上かご３１も、線材を格子状に組んで形成されている。線材は、鋼線ないしステンレス鋼線を含む金属線に合成樹脂の被覆（被覆部材）が施されているものを用いる。例えば、この合成樹脂に酸化チタン粒子、特に平均粒径が１〜１００ナノメートル、望ましくは数ナノメートルの粒子を分散させたものを被覆膜として設けてもよい。この場合、表面積の大きなかごに被覆することで、酸化チタン粒子が備える臭気分解能力をさらに生かすことができる。
【００３０】
図１０に示すように、下かご３０を単独で使用するときには、鍋３２やフライパン等を載せて洗浄を行う。下かご３０の内底は、全体として平坦である。鍋３２やフライパン等の平らなものを置くのに向いている。また、下かご３０の格子は上かご３１の格子よりも粗い。鍋３２やフライパン等の大きなものを置くのに向いている。
【００３１】
図１１、図７に示すように、上かご３１には、包丁３３を収納する包丁収納容器３４が置かれる容器載置部３５を有する。この包丁収納容器３４は、合成樹脂で形成され、上かご３１に対して着脱自在である。包丁３３が包丁収納容器３４に置かれるので、包丁３３が上かご３１に直接触することがなく、線材の被覆部材を傷めない。
【００３２】
図９に示すように、下かご３０の線材にはゴム等の保護輪３６（保護カバー）が設けられている。この保護輪３６を介して、下かご３０の上に上かご３１が重なるので、線材の被覆部材が擦れる磨耗が生じ難くい。
【００３３】
なお、保護輪３６（保護カバー）は、少なくとも下かご３０の４隅またはその近傍に設けるのが望ましい。
【００３４】
図１、図７、図８、図１１に示すように、上かご３１は大皿３７が収納される大皿置部３８を有する。大皿３７は、大皿置部３８に立てかけるように置かれる。この大皿置部３８は、噴霧手段９の反対側に位置する。
【００３５】
大皿３７の上端縁部が噴霧手段９よりも高くても、大皿３７が噴霧手段９の方に置かれないので、噴霧手段９からの噴霧は大皿３７により遮られることなく、洗浄槽２に良く行き亘る。これにより、噴霧が食器に偏り無く付着し、洗浄斑が生じないのである。
【００３６】
下かご３０と上かご３１には、図に示すように、重ね合わせる組み合わせの向きを示す確認部材３９（確認手段）が設けられている。確認部材３９の彩色等を、上下かご３１，３０の右側が赤、左側が青にすることにより、重ね合わせる向きを誤らずに上下かご３１，３０を重ね合わせることができる。
【００３７】
これにより、誤って大皿３７が噴霧手段９の在る方に置かれるようなことが起き難くなるので、噴霧による洗浄が誤りなく実行される。確認手段は、彩色による表示の他に、確認部材３９の形状や上下かご３１，３０の形状によって実現できる。
【００３８】
図２、図８、図１１に示すように、上かご３１は小皿４０が収納される小皿置部４１を有する。小皿置部４１が低部噴霧手段１６側に位置するので、小皿４０は低部噴霧手段１６の在る方に置かれる。少なくとも確認部材３９が設けられている下かご３９の横枠部よりも高い位置が望ましい。これは小皿４０が収納されていないときにヒータを含めた洗浄槽２の下部へ効率よく噴射できる。低部噴霧手段１６は、小皿４０の上端縁よりも低いところに位置する。小皿４０は、小皿置部４１に立てかけて置かれる。ヒータ７は、小皿４０に近い方に位置する。
【００３９】
このため、低部噴霧手段１６からの噴霧は、小皿４０に当たって下方に流れ、保護カバー８の孔を通過してヒータ７に触れ、水蒸気が生じる。この水蒸気は、保護カバー８の孔を抜けて洗浄槽２内に行きわたる。
【００４０】
この水蒸気が噴霧手段９からの噴霧と混ざって暖められた噴霧になる。暖められた噴霧により食器類の洗浄が良く行われる。
【００４１】
このように、小皿置部４１が低部噴霧手段１６側に位置させることにより、低部噴霧手段１６からの噴霧が小皿４０によりヒータ７に導かれるので、水蒸気の発生が積極的に行われ、多くの水蒸気を発生させることができるのである。
【００４２】
この噴霧による洗浄は、洗浄回転ノズル５による洗浄の前に予備の洗浄として実行するのが有効である。噴霧による洗浄は、噴霧が汚れに付着して汚れがふやかされるようになる。このため、洗浄回転ノズル５から噴射される洗浄水により汚れが容易に洗い流されるのである。
【００４３】
さらに、ヒータ７により生じた水蒸気により汚れがふやかされ、食器表面より落ち易くなり、洗浄力が高まる。
【図面の簡単な説明】
【００４４】
【図１】本発明の実施例に係わるもので、洗浄用かごに大皿が置かれた食器洗浄機の内部を正面から見た図。
【図２】本発明の実施例に係わるもので、洗浄用かごに小皿が置かれた食器洗浄機の内部を正面から見た図。
【図３】本発明の実施例に係わるもので、洗浄用かごに食器類が置かれていない食器洗浄機の内部を正面から見た図。
【図４】本発明の実施例に係わるもので、洗浄用かごに食器類が置かれていない食器洗浄機の内部を覗く斜視図。
【図５】本発明の実施例に係わるもので、洗浄用かごが外された食器洗浄機の内部を覗く斜視図。
【図６】本発明の実施例に係わるもので、洗浄用かごが外された食器洗浄機の内部を斜め上から覗く斜視図。
【図７】本発明の実施例に係わるもので、洗浄用かごの下かごと上かごの分離して示した斜視図。
【図８】本発明の実施例に係わるもので、上下かごが重なったところを断面して示した図。
【図９】本発明の実施例に係わるもので、図８の（イ）部の拡大図。
【図１０】本発明の実施例に係わるもので、下かごに鍋を載せた状態を示す図。
【図１１】本発明の実施例に係わるもので、上かごに設けた包丁収納容器に包丁を置くところ示す図。
【図１２】本発明の実施例に係わるもので、噴霧手段のノズルを示す図。
【符号の説明】
【００４５】
２…洗浄槽、３…洗浄用かご、５…洗浄回転ノズル、７…ヒータ、９…噴霧手段、３７…大皿、３８…大皿置部。
【図１】
2006314390.tif 000003
【図２】
2006314390.tif 000004
【図３】
2006314390.tif 000005
【図４】
2006314390.tif 000006
【図５】
2006314390.tif 000007
【図６】
2006314390.tif 000008
【図７】
2006314390.tif 000009
【図８】
2006314390.tif 000010
【図９】
2006314390.tif 000011
【図１０】
2006314390.tif 000012
【図１１】
2006314390.tif 000013
【図１２】
2006314390.tif 000014